(57)【要約】【課題】圧入した部材で一部分を構成するブレーキアクチュエータ用の圧入部品について、ブレーキ液の洩れ、圧入した部材の抜け、圧入部に対する空気封入を生じさせずに部材の圧入を行えるようにする。【解決手段】例えば、ピストン１２（第１部材）に非貫通穴１９を設け、その穴にピン（第２部材）１５を圧入する。このとき、ピストン１２又はピン１５に非貫通穴１９を外部に連通させる通路２０を設けて圧入を行い、非貫通穴１９内の空気を外部に逃がすようにした。【選択図】　図１
2004051005.tif 000002
【特許請求の範囲】
【請求項１】
第１部材に設けた非貫通穴に第２部材を圧入して作られ、ブレーキ液圧回路のブレーキ液に晒される位置に組み込まれてブレーキアクチュエータを構成する圧入部品において、前記第１部材又は第２部材に前記非貫通穴を穴の外部に連通させる通路を設けたことを特徴とするブレーキアクチュエータ用圧入部品。
【請求項２】
第２部材の圧入部を断面切欠円形状にし、これを断面円形の非貫通穴と組み合わせて前記通路を生じさせた請求項１記載のブレーキアクチュエータ用圧入部品。
【請求項３】
非貫通穴の内周面又は第２部材の圧入部の外周面に溝を設けて前記通路を生じさせた請求項１記載のブレーキアクチュエータ用圧入部品。
【請求項４】
第２部材を非貫通穴の中心部において穴底に接触させ、その接触部の周囲に周方向に連続する隙間を生じさせた請求項１乃至３のいずれかに記載のブレーキアクチュエータ用圧入部品。
【請求項５】
非貫通穴の穴底を凸形円錐面にして第２部材との間に前記接触部と隙間を生じさせた請求項４記載のブレーキアクチュエータ用圧入部品。
【請求項６】
非貫通穴の穴底とピンの圧入側端面のいずれか一方を凹形円錐面、他方を凸形円錐面となし、その凹形円錐面と凸形円錐面の頂角に差をつけて前記接触部と隙間を生じさせた請求項４記載のブレーキアクチュエータ用圧入部品。
【発明の詳細な説明】
【０００１】
【発明の属する技術分野】
この発明は、母体となる部材に別部材を圧入一体化して構成されるブレーキアクチュエータ用の部品（この発明ではこれを圧入部材と云う）に関する。
【０００２】
【従来の技術】
周知の液圧ブレーキ装置の中に、図５に示すものがある。これは特開２０００−５４９６８で提案されているものであって、減圧制御時にホイールシリンダ７から排出されるブレーキ液を蓄え、ポンプ８が作動したときに蓄えたブレーキ液をポンプ８に供給するリザーバ１０を備えている。
【０００３】
そのリザーバ１０には、マスタシリンダ３の出力ポートとリザーバ１０の液室Ａとの間の通路を開閉する遮断弁１４を伴わせており、その遮断弁１４の働きで、リザーバ１０からポンプ８への供給液量が不足するときは不足分がマスタシリンダ３から補われ、また、リザーバ１０の貯液量が所定量を越えたときには遮断弁１４が閉じてマスタシリンダ３からリザーバ１０へのブレーキ液の流動が停止する。なお、図中１はブレーキペダル、２はブースタ、４はリニア差圧制御弁、５は増圧制御弁、６は減圧制御弁、９は逆止弁を示している。
【０００４】
図６に、リザーバ１０と遮断弁１４の詳細を示す。リザーバ１０は、ハウジング１１の内部に、液室Ａと大気室Ｂを区画するピストン１２と、そのピストン１２を液室Ａ側に押し動かすスプリング１３を組み込んで成る。
【０００５】
また、遮断弁１４は、ピストン１２に一体化したピン（突き棒）１５と、ボール弁１６と、そのボール弁を接離させる弁座１７とから成る。
【０００６】
ピン１５は、部品の加工を容易化するために、ピストン１２にそのピストンとは別加工したものを圧入して取り付けている。
【０００７】
【発明が解決しようとする課題】
上述したリザーバ用のピン付きピストンは、図７に示すように、ピストン１２に貫通穴１８を設けてその穴にピン１５を圧入すると、液圧回路内のブレーキ液がピン圧入部から外部に洩れ出す虞れがある。また、内部圧力によりピン１５が穴から抜けることも考えられ、ブレーキ装置の信頼性を低下させる。
【０００８】
一方、その対策としてピン１５を図８に示す非貫通穴１９に圧入すると、圧入時に穴内の空気が圧縮されて穴底部に閉じ込められ、その空気が後に穴から徐々に流出してブレーキ液中に混入する虞れがあり、また、閉じ込められた空気の圧力でピン１５が穴から抜ける虞れもある。
【０００９】
液圧回路のブレーキ液中に空気が混入すると、ブレーキペダルを踏み込んだときに回路内の空気が圧縮されていわゆるスポンジブレーキの状態になり、ペダルフィーリングの悪化、ブレーキの効きの悪化を招く。
【００１０】
ブレーキアクチュエータ用の圧入部品は、ここで述べたピン付きピストンのほかにもバルブの弁体などを一体化したピストン、ストッパピンなどを一体化した筐体など種々のものが考えられ、いずれの部品も圧入部が液圧回路のブレーキ液に晒される構造になっていると、前述の問題が生じる。
【００１１】
この発明は、液圧ブレーキ装置の性能維持、信頼性向上のために上記の不具合を解消したブレーキアクチュエータ用の圧入部品を提供する。
【００１２】
【課題を解決するための手段】
上記の課題を解決するため、この発明においては、第１部材又は、その第１部材に圧入される第２部材に前記非貫通穴を穴の外部に連通させる通路を設ける。
【００１３】
その通路は、第２部材の圧入部を断面切欠円形状にし、これを断面円形の非貫通穴と組み合わせて生じさせることができる。
【００１４】
また、非貫通穴の内周面又は第２部材の圧入部の外周面に溝を設けて生じさせることもできる。
【００１５】
さらに、第２部材を非貫通穴の中心部において穴底に接触させ、その接触部の周囲に周方向に連続する隙間を生じさせると、ブレーキ液圧回路のエアー抜き時にブレーキ液が通路を通って穴底部にも確実に流入する。
【００１６】
【作用】
第２部材圧入時に、この発明で設けた通路がエア抜き通路となって非貫通穴内の空気が外部に逃げる。従って、圧縮された空気が穴底部に閉じ込められることが無く、空気圧で第２部材が穴から抜けることも無くなる。
【００１７】
また、ブレーキ液圧回路のエアー抜き時にブレーキ液が前記通路を通って非貫通穴の穴底部に流入し、このため、圧入時に通路と穴底部に残留する大気圧の空気も排出され、ブレーキ液への空気漏洩が無くなってスポンジブレーキになることが防止される。
【００１８】
【発明の実施の形態】
図１に、この発明の圧入部品の実施形態を示す。例示の部品は、先に説明したリザーバ用のピン付きピストンである。
【００１９】
ピストン１２には非貫通穴１９が設けられ、その穴１９にピン１５が圧入されている。その圧入は、非貫通穴１９の内周面とピン１５との間に通路２０を設けてなされており、非貫通穴１９内の空気が圧入時に通路２０を通って外部に逃げ、穴底部と通路２０に僅かに残る空気は大気圧となっている。
【００２０】
その残留空気は、ブレーキ液圧回路のエアー抜き時に通路２０を通って流入するブレーキ液と置換されて回路外に排出される。
【００２１】
通路２０は、図１では、ピン１５の圧入部１５ａの外周に圧入部の断面を切欠円形状にするカット面２１を設け、これと断面円形の非貫通穴１９を組み合わせて生じさせているが、図２に示すように、非貫通穴１９の内面（又は圧入部１５ａの外周面）に溝２２を設けて構成されるものであってもよい。
【００２２】
また、通常のドリルを使用して穿孔した非貫通穴１９は、穴底が図９に示すように凹形円錐面になる。この場合、ピン１５の圧入力が強過ぎるとピストン１２とピン１５の相互接触部が潰れ、通路２０と穴底との連通が断たれて穴底に空気が密封されることがある。その密封された空気は、エアー抜き時に排出されずに残り、後にブレーキ液中に流出する。従って、この問題に対する対策も講じておくのがよい。
【００２３】
図３、図４に、その策の好ましい例を示す。
図３は、非貫通穴１９を穴底が凸形円錐面になる穴にしており、ピン１５が穴の中心部において穴底に接触し、その接触部の周囲に周方向に連続した隙間２３が形成される。従って、通路２０は塞がれることなく隙間２３に連通し、液圧回路のエアー抜き時に隙間２３にブレーキ液が支障無く流入する。
【００２４】
図４に示すように、非貫通穴１９の穴底を凹形円錐面、ピン１５の圧入側端面を凸形円錐面にし、凸形円錐面の頂角α１を凹形円錐面の頂角α２よりも小さくする構造でも、ピン１５と非貫通穴１９の穴底との間に周方向に連続する隙間２３を生じさせて図３に示すものと同じ効果を得ることができる。
【００２５】
非貫通穴１９の穴底を凸形円錐面、ピンの圧入側端面を凹形円錐面にして両円錐面の頂角に差をつける構造や、穴底中心部又はピンの圧入側端面の中心部に突起を設ける構造でも同様の隙間を生じさせてエアー抜きの効果を高めることができる。これ等の構造の中では図４に示した構造が最も加工性に優れている。
【００２６】
なお、ブレーキアクチュエータ用の圧入部品としてここではリザーバ用のピン付きピストンを例に挙げたが、この発明は、アクチュエータ内でブレーキ液に晒される圧入部品の全てに適用できる。
【００２７】
【発明の効果】
以上述べたように、この発明によれば、第２部材圧入用の穴を非貫通穴にしてその穴を外部に連通させる通路を設けたので、第２部材圧入部からのブレーキ液の洩れ、内部圧力による第２部材の抜け、ブレーキの効きとブレーキフィーリングの悪化につながるブレーキ液への空気混入、及び封入空気の圧力による第２部材の抜けの各問題を無くすことができ、液圧ブレーキ装置の性能維持と信頼性向上が図れる。
【図面の簡単な説明】
【図１】（ａ）この発明の圧入部品の一例を示す断面図
（ｂ）同上の部品のピン圧入部の平面図
【図２】ピストンとピン間に設けた通路の変形例を示す断面図
【図３】非貫通穴の穴底を凸形円錐面にした例の拡大断面図
【図４】非貫通穴の穴底を凹形円錐面、ピンの圧入側端面を凸形円錐面にした例の拡大断面図
【図５】液圧ブレーキ装置の一形態を示す回路図
【図６】同上の装置に採用したリザーバと遮断弁の詳細を示す図
【図７】ピストンに貫通穴を設けてピンを圧入した例を示す図
【図８】ピストンに非貫通穴を設けてピンを圧入した例を示す図
【図９】非貫通穴の穴底が凹形円錐面のときに起こる問題の説明図
【符号の説明】
１　ブレーキペダル
２　ブースタ
３　マスタシリンダ
４　リニア差圧制御弁
５　増圧制御弁
６　減圧制御弁
７　ホイールシリンダ
８　ポンプ
９　逆止弁
１０　リザーバ
１１　ハウジング
１２　ピストン
１３　スプリング
１４　遮断弁
１５　ピン
１５ａ　圧入部
１６　ボール弁
１７　弁座
１９　非貫通穴
２０　通路
２１　カット面
２２　溝
２３　隙間
【図１】
2004051005.tif 000003
【図２】
2004051005.tif 000004
【図３】
2004051005.tif 000005
【図４】
2004051005.tif 000006
【図５】
2004051005.tif 000007
【図６】
2004051005.tif 000008
【図７】
2004051005.tif 000009
【図８】
2004051005.tif 000010
【図９】
2004051005.tif 000011